(57)【要約】  熱交換換気装置（５０）は、給気用送風機（３）によって形成される室外から室内に向かう給気流が通る給気風路と、排気用送風機（２）によって形成される室内から室外へ向かう排気流が通る排気風路とを備えたケーシング（１）と、給気風路と排気風路との間に設置され、給気流と排気流との間で全熱交換を行う全熱交換器（４）と、排気風路における全熱交換器（４）の風上側に設けられた室内温度センサ（１４）及び室内湿度センサ（１５）と、給気風路における全熱交換器（４）の風下側に設けられた給気温度センサ（９）及び給気湿度センサ（１０）と、室内空気の温度及び湿度と、給気空気の温度及び湿度とに基づいて、室外空気の温度及び湿度を算出し、算出した室外空気の温度及び湿度に基づいて給気用送風機（３）及び排気用送風機（２）を制御する制御部（１１）とを有する。
2019026256.tif 000002
【特許請求の範囲】
【請求項１】
給気用送風機と、
排気用送風機と、
前記給気用送風機によって形成される室外から室内に向かう給気流が通る給気風路と、前記排気用送風機によって形成される室内から室外へ向かう排気流が通る排気風路とを備えたケーシングと、
前記給気風路と前記排気風路との間に設置され、前記給気流と前記排気流との間で全熱交換を行う全熱交換器と、
前記排気風路における前記全熱交換器の風上側に設けられた室内温度センサ及び室内湿度センサと、
前記給気風路における前記全熱交換器の風下側に設けられた給気温度センサ及び給気湿度センサと、
前記排気風路における前記全熱交換器の風上側の空気である室内空気の温度及び湿度と、前記給気風路における前記全熱交換器の風下側の空気である給気空気の温度及び湿度とに基づいて、前記給気風路における前記全熱交換器の風上側の空気である室外空気の温度及び湿度を算出し、算出した前記室外空気の温度及び湿度に基づいて前記給気用送風機及び前記排気用送風機を制御する制御部とを有することを特徴とする熱交換換気装置。
【請求項２】
前記制御部は、前記室外空気の湿度が湿度の閾値よりも高い場合には，前記給気用送風機を停止させ、前記排気用送風機を運転させることを特徴とする請求項１に記載の熱交換換気装置。
【請求項３】
前記制御部は、前記室外空気の温度が温度の閾値よりも低い場合には、前記給気用送風機を停止させ、前記排気用送風機を運転させることを特徴とする請求項１に記載の熱交換換気装置。
【請求項４】
前記排気風路に配設され、室内空気を前記全熱交換器へ流すか、前記全熱交換器を迂回するバイパス風路へ流すかを切り替える風路切替ダンパを備え、
前記制御部は、前記室外空気の温度が前記室内空気の温度よりも低い場合には、前記風路切替ダンパを制御し、前記室内空気を前記バイパス風路へ流すことを特徴とする請求項１に記載の熱交換換気装置。
【請求項５】
前記給気空気を加熱して飽和水蒸気量を増大させる直膨コイルを備え、
前記制御部は、前記室外空気の温度に合わせて前記直膨コイルの運転強度を制御することを特徴とする請求項１に記載の熱交換換気装置。
【請求項６】
前記給気空気を加湿する加湿ユニットを備え、
前記制御部は、前記室外空気の温度及び湿度に合わせ、前記加湿ユニットによる加湿量を制御することを特徴とする請求項５に記載の熱交換換気装置。
【請求項７】
前記制御部は、前記給気用送風機と前記排気用送風機との風量比に基づいて、前記全熱交換器の交換効率を定期的に算出し、算出した前記交換効率に基づいて前記室外空気の温度及び湿度を算出することを特徴とする請求項１から６のいずれか１項に記載の熱交換換気装置。
【発明の詳細な説明】
【技術分野】
【０００１】
本発明は、給気流と排気流との間で熱交換を行いながら換気を行う熱交換換気装置に関する。
【背景技術】
【０００２】
排気流を通す排気風路と給気流を通す給気風路とが内部において交差し、排気流と給気流との間で全熱が交換を行う全熱交換器は、給気風路を通じて高湿度空気が内部に侵入すると、熱交換時に結露又は結氷が発生する場合がある。【０００３】
特許文献１に開示されるように、給気風路を通して霧及び高湿度空気が全熱交換器内に侵入することを防止するため、室外風路に設置された温湿度センサで高湿度状態を検知し、湿度が閾値以上である場合には、給気用送風機を停止させる制御方法がある。
【先行技術文献】
【特許文献】
【０００４】
【特許文献１】特開２０１２−１７２９６１号公報
【発明の概要】
【発明が解決しようとする課題】
【０００５】
しかしながら、特許文献１に開示される技術によれば、温湿度センサが室外風路に設置されているため、温湿度センサは、室外空気に含まれる埃及び霧に直接晒される。したがって、特許文献１に開示される発明は、長時間の運転で埃が温湿度センサに付着し、感湿部に付着すると湿度を正確に測定できなくなる。また、温湿度センサの表面に霧が付着して凝縮すると、凝縮した水によって温湿度センサにショートが発生し、故障する可能性があった。【０００６】
本発明は、上記に鑑みてなされたものであって、室外空気に晒された温湿度センサを用いることなく室外温度及び室外湿度に基づいて給気用送風機及び排気用送風機を制御できる熱交換換気装置を得ることを目的とする。
【課題を解決するための手段】
【０００７】
上述した課題を解決し、目的を達成するために、本発明は、給気用送風機と、排気用送風機と、給気用送風機によって形成される室外から室内に向かう給気流が通る給気風路と、排気用送風機によって形成される室内から室外へ向かう排気流が通る排気風路とを備えたケーシングと、給気風路と排気風路との間に設置され、給気流と排気流との間で全熱交換を行う全熱交換器とを有する。本発明は、排気風路における全熱交換器の風上側に設けられた室内温度センサ及び室内湿度センサと、給気風路における全熱交換器の風下側に設けられた給気温度センサ及び給気湿度センサと、排気風路における全熱交換器の風上側の空気である室内空気の温度及び湿度と、給気風路における全熱交換器の風下側の空気である給気空気の温度及び湿度とに基づいて、給気風路における全熱交換器の風上側の空気である室外空気の温度及び湿度を算出し、算出した室外空気の温度及び湿度に基づいて給気用送風機及び排気用送風機を制御する制御部とを有する。
【発明の効果】
【０００８】
本発明に係る熱交換換気装置は、室外空気に晒された温湿度センサを用いることなく室外温度及び室外湿度に基づいて給気用送風機及び排気用送風機を制御できるという効果を奏する。
【図面の簡単な説明】
【０００９】
【図１】本発明の実施の形態１に係る熱交換換気装置の構成を示す図
【図２】実施の形態１に係る熱交換換気装置の動作の流れを示すフローチャート
【図３】本発明の実施の形態４に係る熱交換換気装置の構成を示す図
【図４】実施の形態１から実施の形態４のいずれかに係る制御部の機能をハードウェアで実現した構成を示す図
【図５】実施の形態１から実施の形態４のいずれかに係る制御部の機能をソフトウェアで実現した構成を示す図
【発明を実施するための形態】
【００１０】
以下に、本発明の実施の形態に係る熱交換換気装置を図面に基づいて詳細に説明する。なお、この実施の形態によりこの発明が限定されるものではない。
【００１１】
実施の形態１．
図１は、本発明の実施の形態１に係る熱交換換気装置の構成を示す図である。実施の形態１に係る熱交換換気装置５０は、室外から室内に向かう給気流が通る給気風路と、室内から室外へ向かう排気流が通る排気風路とを備えた箱体構造のケーシング１、排気風路に排気流を発生させる排気用送風機２、給気風路に給気流を発生させる給気用送風機３、排気流と給気流との間で連続的に全熱交換を行わせる全熱交換器４、排気流を吹き出す排気吹出口５、給気流を吹き出す給気吹出口６、給気流が流入する給気吸込口７、排気流が流入する排気吸込口８、給気風路の全熱交換器４よりも風下側で給気流の温度を測定する給気温度センサ９、給気風路の全熱交換器４よりも風下側で給気流の相対湿度を測定する給気湿度センサ１０、制御部１１、ユーザインタフェースであるリモートコントローラ１２、室内空気を全熱交換器４へ通じる風路に導くか、全熱交換器４を通さずに排気用送風機２に送るバイパス風路に導くかを切り替える風路切替ダンパ１３、排気風路の全熱交換器４よりも風上側で排気流の温度を測定する室内温度センサ１４及び排気風路の全熱交換器４よりも風上側で排気流の相対湿度を測定する室内湿度センサ１５を備える。
【００１２】
熱交換換気装置５０は、室内側に給気吹出口６及び排気吸込口８を備え、室外側に排気吹出口５及び給気吸込口７を備えている。給気風路は、室外側の給気吸込口７と室内側の給気吹出口６とを繋いでいる。排気風路は、室内側の排気吸込口８と室外側の排気吹出口５とを繋いでいる。
【００１３】
給気用送風機３は、給気風路に組み込まれている。排気用送風機２は、排気風路に組み込まれている。全熱交換器４は、給気風路と排気風路とにまたがって配置され、全熱交換により室外空気を給気空気にし、室内空気を排気空気にする。したがって、給気風路における全熱交換器４の風下側に設けられた給気温度センサ９及び給気湿度センサ１０は、給気空気の温度及び湿度を測定する。排気風路における全熱交換器の風上側に設けられた室内温度センサ１４及び室内湿度センサ１５は、室内空気の温度及び湿度を測定する。
【００１４】
全熱交換器４においては、排気流を通す排気風路と給気流を通す給気風路とは、内部において垂直に交差している。排気風路と給気風路とが交差していることにより、全熱交換器４では、排気流と給気流との間で全熱が交換され、熱交換換気を行うことができる。
【００１５】
風路切替ダンパ１３は、排気風路の風上側に配置されている。風路切替ダンパ１３が閉じているとき、室内空気は全熱交換器４を通り、室内空気と室外空気との間で連続的に熱交換が行われる。風路切替ダンパ１３が開いているとき、室内空気は全熱交換器４の奥に形成されているバイパス風路を通り、非熱交換換気が排気用送風機２を介して室外へ排出される。
【００１６】
給気温度センサ９及び給気湿度センサ１０は、給気風路のうち全熱交換器４の風下側、すなわち全熱交換器４を通過後の給気風路に設置されている。室内温度センサ１４及び室内湿度センサ１５は、排気風路のうち全熱交換器４の風上側、すなわち全熱交換器４を通過前の排気風路に設置されている。
【００１７】
給気温度センサ９、給気湿度センサ１０、室内温度センサ１４及び室内湿度センサ１５は、制御部１１に設置された制御用基板に接続されている。給気温度センサ９、給気湿度センサ１０、室内温度センサ１４及び室内湿度センサ１５の測定結果は、定期的に制御部１１に送信される。
【００１８】
制御部１１には、全熱交換器４の外形寸法と全熱交換器４を通過する風量とによって定まる温度交換効率ηｔと、エンタルピー交換効率ηｈとが保存されている。
【００１９】
制御部１１では、受信した温度情報と全熱交換器４の温度交換効率ηｔとを用い、室外空気の温度を算出する、室内温度をＴＲＡ、給気温度をＴＳＡとすると、室外空気の温度ＴＯＡは、ＴＯＡ＝（ＴＳＡ−ηｔ×ＴＲＡ）／（１−ηｔ）で算出される。
【００２０】
また、制御部１１は、温度情報と相対湿度情報とから室内空気のエンタルピー及び給気空気のエンタルピーを算出する。室内エンタルピーｈＲＡ、給気エンタルピーｈＳＡ及び全熱交換器４のエンタルピー交換効率ηｈを用い、室外空気のエンタルピーｈＯＡを算出する。室外空気のエンタルピーｈＯＡは、ｈＯＡ＝（ｈＳＡ−ηｈ×ｈＲＡ）／（１−ηｈ）で算出される。
【００２１】
なお、制御部１１は、定格風量で定められた温度交換効率ηｔ及びエンタルピー交換効率ηｈの固有値のみ記憶してもよい。また、制御部１１は、給気用送風機３及び排気用送風機２の実際の風量比に基づいて、全熱交換器４の交換効率を定期的に算出し、算出した交換効率に基づいて室外空気の温度及びエンタルピーを算出してもよい。
【００２２】
制御部１１は、算出した室外空気の温度及びエンタルピーを用い、室外空気の相対湿度ＲＨＯＡを算出する。霧の発生又は降雨によって室外空気が高湿度状態となっている場合、算出した室外空気の相対湿度ＲＨＯＡは、湿度の閾値ＲＨｈｕｍを超えている可能性がある。この場合、製品保護のため、室外空気の侵入を防止する目的で、給気用送風機３を一定時間停止させ、かつ排気用送風機２を運転させ、間欠運転を開始する。
【００２３】
湿度の閾値ＲＨｈｕｍは、高湿度側に設定した方が間欠運転を行う時間が短くなるため好ましい。給気湿度センサ１０及び室内湿度センサ１５の検出ばらつきを考慮し、湿度の閾値ＲＨｈｕｍは相対湿度９０％から１００％の間に設定するとよい。
【００２４】
図２は、実施の形態１に係る熱交換換気装置の動作の流れを示すフローチャートである。ステップＳ１において、給気温度センサ９は、給気空気の温度を検知する。また、給気湿度センサ１０は、給気空気の湿度を検知する。また、室内温度センサ１４は、室内空気の温度を検知する。また、室内湿度センサ１５は、室内空気の湿度を検知する。ステップＳ２において、制御部１１は、室外空気の温度及び室外空気の湿度を算出する。ステップＳ３において、制御部１１は、室外空気の湿度が湿度の閾値以上であるか否かを判断する。室外空気の湿度が閾値以上であれば、ステップＳ３でＹｅｓとなり、ステップＳ４において、制御部１１は、給気用送風機３を一定時間停止させ、かつ排気用送風機２を運転させる間欠運転を開始する。室外空気の湿度が閾値未満であれば、ステップＳ３でＮｏとなり、ステップＳ１に戻る。
【００２５】
室外空気の雰囲気中に温湿度センサを配置した場合、給気用送風機の運転によって、室外空気に含まれる霧又は高湿度空気が直接センサに触れてしまう。センサ表面では、霧又は高湿度空気が凝縮されて結露水が発生する。結露水は、センサの基板の導電パターンを酸化させて劣化させる原因となるだけでなく、基板上でショートを誘発させてしまう可能性があるため、結露水が発生することは好ましくない。
【００２６】
一方、実施の形態１に係る熱交換換気装置５０は、室内空気及び給気空気の温湿度から室外空気の湿度を算出するため、室外空気の湿度を直接計測する場合と同様に、室外空気が高湿度状態となっている場合に室外空気の侵入を防止する制御を行える。さらに、実施の形態１に係る熱交換換気装置５０は、室外空気側にセンサを配置しないため、霧又は高湿度空気によるセンサの劣化及び故障を防止することができ、製品の信頼性向上に繋がる。
【００２７】
実施の形態１に係る熱交換換気装置５０は、温度及び湿度の計測環境が過酷である室外空気の雰囲気中に温度センサ及び湿度センサを配置しなくとも室外空気の温度及び湿度に基づいた制御を行える。室外空気の温度及び湿度に基づいて熱交換換気装置５０内の給気用送風機３及び排気用送風機２を制御することにより、室内環境を快適に保ち、かつ省エネルギー性を実現できる。
【００２８】
実施の形態２．
実施の形態２に係る熱交換換気装置５０の構成は、実施の形態１にかかる熱交換換気装置５０と同様であるが、制御部１１による制御の内容が異なっている。室外空気の温度が低い場合、全熱交換器４の熱交換時に発生する潜熱が冷やされ、全熱交換器内で結露又は結氷が発生する場合がある。これを防止するために、制御部１１は、室外空気の温度が閾値Ｔｋａｎ以下になった場合、全熱交換器４内の湿度分の乾燥運転又は結氷を溶かすために一時的に給気用送風機３を停止させ、排気用送風機２のみ運転させる寒冷地運転モードを使用する。
【００２９】
室外空気の雰囲気中に温湿度センサを配置した場合、室外空気の温度が低いと、温度センサ又は湿度センサに実装されている電子部品によっては、温度依存性によるばらつきにより測定精度が低くなってしまうことがある。特に、空気調和及び換気に使用されるような一般用途の温度センサ又は湿度センサは、常温での測定精度が高くなるように作られるため、常温から外れた低温では測定精度が低くなることが一般的である。したがって、室外空気の雰囲気中に温湿度センサを配置した熱交換換気装置５０は、寒冷地モードを使用したい状況であっても、室外空気の温度及び室外空気の湿度の測定誤差により寒冷地モードが使用されない可能性があった。
【００３０】
実施の形態２に係る熱交換換気装置５０は、室内側に給気温度センサ９及び室内温度センサ１４を設置し、制御部１１が給気温度センサ９及び室内温度センサ１４の測定結果に基づいて室外空気の温度を算出する。したがって、給気温度センサ９及び室内温度センサ１４は、測定精度の高い常温の空気の温度を測定するため、室外空気の温度の算出結果の精度も高くなる。これにより、室外空気の温度が低く寒冷地モードを使用したい状況下で、確実に寒冷地モードを使用することができる。
【００３１】
実施の形態２に係る熱交換換気装置５０は、給気温度センサ９及び室内温度センサ１４の測定結果に基づいて制御部１１が室外空気の温度を算出するため、室外空気の温度が低い場合でも、室外空気の温度を精度良く検知できる。したがって、室外空気が低温時に全熱交換器４内での結露及び結氷を防止できる。
【００３２】
実施の形態３．
実施の形態３に係る熱交換換気装置５０の構成は、実施の形態１にかかる熱交換換気装置５０と同様であるが、制御部１１による制御の内容が異なっている。夏期の早朝又は中間期で室外空気の温度が室内温度よりも低い場合、室内空気と室外空気との全熱交換を全熱交換器４で行わず、そのまま室外空気を室内に取り入れる外気冷房モードがある。特に、夜間室内不在時に、室外空気の温度のみでオフィス機器から発生する顕熱を下げ、朝の空調負荷を下げるナイトパージ制御がある。外気冷房モード使用時又はナイトパージ制御実行時には、風路切替ダンパ１３を用い、全熱交換器４を通さずに直接排気用送風機２に室内空気を導くことで非熱交換換気を実行する。
【００３３】
室外空気の雰囲気中に温湿度センサを配置した場合、夏期の早朝又は中間期の室外空気に含まれる霧又は高湿度空気にセンサが晒されることによって経時的に発生する検知温度の誤差により、外気冷房モード又はナイトパージ制御が実行されず、空調負荷が大きくなる可能性が高くなる。実施の形態３に係る熱交換換気装置５０は、室内側に給気温度センサ９及び室内温度センサ１４を設置し、制御部１１が給気温度センサ９及び室内温度センサ１４の測定結果に基づいて室外空気の温度を算出するため、給気温度センサ９及び室内温度センサ１４の劣化を防止できることに加え、空調負荷が増大することを抑制できる。室外空気の温度及び湿度に基づいて熱交換換気装置５０内の風路切替ダンパ１３を制御することにより、室内環境を快適に保ち、かつ省エネルギー性を実現できる。
【００３４】
実施の形態４．
図３は、本発明の実施の形態４に係る熱交換換気装置の構成を示す図である。実施の形態４に係る熱交換換気装置５０は、給気空気に湿度を与え室内の湿度を増加させる加湿ユニット２０と、給気空気を加熱して飽和水蒸気量を増大させる直膨コイル２１とを備える点で実施の形態１に係る熱交換換気装置５０と相違している。制御部１１は、室外空気の温度及び室外空気の湿度に基づいて、加湿ユニット２０への給水量及び直膨コイル２１の温度を制御する。すなわち、制御部１１は、室外空気の温度に合わせて直膨コイル２１の運転強度を制御し、室外空気の温度及び湿度に合わせ、加湿ユニット２０による加湿量を制御する。
【００３５】
加湿ユニット２０及び直膨コイル２１を用いて給気空気を加湿する必要があるのは、室外空気が低温かつ低湿度である冬期が主であるため、室外空気の雰囲気中に温湿度センサを配置して室外空気の温度及び湿度を測定すると、測定誤差が大きくなりやすい。室外空気の温度及び湿度の測定誤差が大きくなると、室内の過加湿又は加湿不足の原因となる。また、室外空気の絶対湿度が低いため、湿度センサの特性によっては、室外空気の温度が氷点下の時には、湿度を検出できず、湿度制御を行えない場合がある。
【００３６】
実施の形態４に係る熱交換換気装置５０は、室内空気と給気空気とから室外空気の温度及び室外空気の湿度を算出するため、室外空気の温度を精度良く算出できることに加え、室外空気が氷点下であっても室外空気の湿度を検出して湿度制御が可能となる。室外空気の温度及び湿度に基づいて熱交換換気装置５０内の加湿ユニット２０及び直膨コイル２１を制御することにより、室内環境を快適に保ち、かつ省エネルギー性を実現できる。
【００３７】
上記実施の形態１から実施の形態４の制御部１１の機能は、処理回路により実現される。すなわち制御部１１は、室内空気の温度及び湿度と、給気空気の温度及び湿度とに基づいて、室外空気の温度及び湿度を算出する処理と、算出した室外空気の温度及び湿度に基づいて給気用送風機３及び排気用送風機２を制御する処理と、室外空気の湿度が湿度の閾値よりも高い場合には、給気用送風機３を停止させ、排気用送風機２を運転させる処理と、室外空気の温度が温度の閾値よりも低い場合には、給気用送風機３を停止させ、排気用送風機２を運転させる処理と、室外空気の温度が室内空気の温度よりも低い場合には、風路切替ダンパ１３を制御し、室内空気をバイパス風路へ流す処理と、室外空気の温度に合わせて直膨コイル２１の運転強度を制御する処理と、室外空気の温度及び湿度に合わせ、加湿ユニット２０による加湿量を制御する処理と、給気用送風機３と排気用送風機２との風量比に基づいて、全熱交換器４の交換効率を定期的に算出し、算出した交換効率に基づいて室外空気の温度及び湿度を算出する処理とを行う処理回路を備える。また、処理回路は、専用のハードウェアであっても、記憶装置に格納されるプログラムを実行する演算装置であってもよい。
【００３８】
処理回路が専用のハードウェアである場合、処理回路は、単一回路、複合回路、プログラム化したプロセッサ、並列プログラム化したプロセッサ、特定用途向け集積回路、フィールドプログラマブルゲートアレイ、又はこれらを組み合わせたものが該当する。図４は、実施の形態１から実施の形態４のいずれかに係る制御部の機能をハードウェアで実現した構成を示す図である。処理回路１９には、室内空気の温度及び湿度と、給気空気の温度及び湿度とに基づいて、室外空気の温度及び湿度を算出する処理と、算出した室外空気の温度及び湿度に基づいて給気用送風機３及び排気用送風機２を制御する処理と、室外空気の湿度が湿度の閾値よりも高い場合には、給気用送風機３を停止させ、排気用送風機２を運転させる処理と、室外空気の温度が温度の閾値よりも低い場合には、給気用送風機３を停止させ、排気用送風機２を運転させる処理と、室外空気の温度が室内空気の温度よりも低い場合には、風路切替ダンパ１３を制御し、室内空気をバイパス風路へ流す処理と、室外空気の温度に合わせて直膨コイル２１の運転強度を制御する処理と、室外空気の温度及び湿度に合わせ、加湿ユニット２０による加湿量を制御する処理と、給気用送風機３と排気用送風機２との風量比に基づいて、全熱交換器４の交換効率を定期的に算出し、算出した交換効率に基づいて室外空気の温度及び湿度を算出する処理とを実現する論理回路１９ａが組み込まれている。
【００３９】
処理回路１９が演算装置の場合、室内空気の温度及び湿度と、給気空気の温度及び湿度とに基づいて、室外空気の温度及び湿度を算出する処理と、算出した室外空気の温度及び湿度に基づいて給気用送風機３及び排気用送風機２を制御する処理と、室外空気の湿度が湿度の閾値よりも高い場合には、給気用送風機３を停止させ、排気用送風機２を運転させる処理と、室外空気の温度が温度の閾値よりも低い場合には、給気用送風機３を停止させ、排気用送風機２を運転させる処理と、室外空気の温度が室内空気の温度よりも低い場合には、風路切替ダンパ１３を制御し、室内空気をバイパス風路へ流す処理と、室外空気の温度に合わせて直膨コイル２１の運転強度を制御する処理と、室外空気の温度及び湿度に合わせ、加湿ユニット２０による加湿量を制御する処理と、給気用送風機３と排気用送風機２との風量比に基づいて、全熱交換器４の交換効率を定期的に算出し、算出した交換効率に基づいて室外空気の温度及び湿度を算出する処理とは、ソフトウェア、ファームウェア、又はソフトウェアとファームウェアとの組み合わせにより実現される。
【００４０】
図５は、実施の形態１から実施の形態４のいずれかに係る制御部の機能をソフトウェアで実現した構成を示す図である。処理回路１９は、プログラム１９ｂを実行する演算装置１９１と、演算装置１９１がワークエリアに用いるランダムアクセスメモリ１９２と、プログラム１９ｂを記憶する記憶装置１９３を有する。記憶装置１９３に記憶されているプログラム１９ｂを演算装置１９１がランダムアクセスメモリ１９２上に展開し、実行することにより、室内空気の温度及び湿度と、給気空気の温度及び湿度とに基づいて、室外空気の温度及び湿度を算出する処理と、算出した室外空気の温度及び湿度に基づいて給気用送風機３及び排気用送風機２を制御する処理と、室外空気の湿度が湿度の閾値よりも高い場合には、給気用送風機３を停止させ、排気用送風機２を運転させる処理と、室外空気の温度が温度の閾値よりも低い場合には、給気用送風機３を停止させ、排気用送風機２を運転させる処理と、室外空気の温度が室内空気の温度よりも低い場合には、風路切替ダンパ１３を制御し、室内空気をバイパス風路へ流す処理と、室外空気の温度に合わせて直膨コイル２１の運転強度を制御する処理と、室外空気の温度及び湿度に合わせ、加湿ユニット２０による加湿量を制御する処理と、給気用送風機３と排気用送風機２との風量比に基づいて、全熱交換器４の交換効率を定期的に算出し、算出した交換効率に基づいて室外空気の温度及び湿度を算出する処理とが実現される。ソフトウェア又はファームウェアはプログラム言語で記述され、記憶装置１９３に格納される。演算装置１９１は、中央処理装置を例示できるがこれに限定はされない。
【００４１】
処理回路１９は、記憶装置１９３に記憶されたプログラム１９ｂを読み出して実行することにより、各処理を実現する。すなわち、制御部１１は、処理回路１９により実行されるときに、室内空気の温度及び湿度と、給気空気の温度及び湿度とに基づいて、室外空気の温度及び湿度を算出するステップと、算出した室外空気の温度及び湿度に基づいて給気用送風機３及び排気用送風機２を制御するステップと、室外空気の湿度が湿度の閾値よりも高い場合には、給気用送風機３を停止させ、排気用送風機２を運転させるステップと、室外空気の温度が温度の閾値よりも低い場合には、給気用送風機３を停止させ、排気用送風機２を運転させるステップと、室外空気の温度が室内空気の温度よりも低い場合には、風路切替ダンパ１３を制御し、室内空気をバイパス風路へ流すステップと、室外空気の温度に合わせて直膨コイル２１の運転強度を制御するステップと、室外空気の温度及び湿度に合わせ、加湿ユニット２０による加湿量を制御するステップと、給気用送風機３と排気用送風機２との風量比に基づいて、全熱交換器４の交換効率を定期的に算出し、算出した交換効率に基づいて室外空気の温度及び湿度を算出するステップとが結果的に実行されることになるプログラム１９ｂを記憶するための記憶装置１９３を備える。また、プログラム１９ｂは、上記の手順及び方法をコンピュータに実行させるものであるとも言える。
【００４２】
なお、室内空気の温度及び湿度と、給気空気の温度及び湿度とに基づいて、室外空気の温度及び湿度を算出する処理と、算出した室外空気の温度及び湿度に基づいて給気用送風機３及び排気用送風機２を制御する処理と、室外空気の湿度が湿度の閾値よりも高い場合には、給気用送風機３を停止させ、排気用送風機２を運転させる処理と、室外空気の温度が温度の閾値よりも低い場合には、給気用送風機３を停止させ、排気用送風機２を運転させる処理と、室外空気の温度が室内空気の温度よりも低い場合には、風路切替ダンパ１３を制御し、室内空気をバイパス風路へ流す処理と、室外空気の温度に合わせて直膨コイル２１の運転強度を制御する処理と、室外空気の温度及び湿度に合わせ、加湿ユニット２０による加湿量を制御する処理と、給気用送風機３と排気用送風機２との風量比に基づいて、全熱交換器４の交換効率を定期的に算出し、算出した交換効率に基づいて室外空気の温度及び湿度を算出する処理とについて、一部を専用のハードウェアで実現し、一部をソフトウェア又はファームウェアで実現するようにしてもよい。
【００４３】
このように、処理回路１９は、ハードウェア、ソフトウェア、ファームウェア、又はこれらの組み合わせによって、上述の各機能を実現することができる。
【００４４】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００４５】
１  ケーシング、２  排気用送風機、３  給気用送風機、４  全熱交換器、５  排気吹出口、６  給気吹出口、７  給気吸込口、８  排気吸込口、９  給気温度センサ、１０  給気湿度センサ、１１  制御部、１２  リモートコントローラ、１３  風路切替ダンパ、１４  室内温度センサ、１５  室内湿度センサ、１９  処理回路、１９ａ  論理回路、１９ｂ  プログラム、２０  加湿ユニット、２１  直膨コイル、５０  熱交換換気装置、１９１  演算装置、１９２  ランダムアクセスメモリ、１９３  記憶装置。
【図１】
2019026256.tif 000003
【図２】
2019026256.tif 000004
【図３】
2019026256.tif 000005
【図４】
2019026256.tif 000006
【図５】
2019026256.tif 000007
【国際調査報告】
2019026256.tif 000008
2019026256.tif 000009
2019026256.tif 000010
2019026256.tif 000011